(57)【要約】  試料支持体は、試料のイオン化用の試料支持体であって、互いに対向する第１表面及び第２表面を連通するように形成された不規則な多孔質構造を有する基板と、少なくとも第１表面に設けられた導電層と、を備える。
2019155741.tif 000002
【特許請求の範囲】
【請求項１】
試料のイオン化用の試料支持体であって、
互いに対向する第１表面及び第２表面を連通するように形成された不規則な多孔質構造を有する基板と、
少なくとも前記第１表面に設けられた導電層と、を備える、試料支持体。
【請求項２】
前記基板は、ガラスビーズの焼結体により形成されている、請求項１に記載の試料支持体。
【請求項３】
前記基板は、多孔質ガラスにより形成されている、請求項１に記載の試料支持体。
【請求項４】
前記基板は、繊維多孔質体により形成されている、請求項１に記載の試料支持体。
【請求項５】
試料のイオン化用の試料支持体であって、
導電性を有し、互いに対向する第１表面及び第２表面を連通するように形成された不規則な多孔質構造を有する基板を備える、試料支持体。
【請求項６】
前記基板は、多孔質金属により形成されている、請求項１又は５に記載の試料支持体。
【発明の詳細な説明】
【技術分野】
【０００１】
本開示は、試料支持体に関する。
【背景技術】
【０００２】
従来、生体試料等の試料の質量分析において、試料をイオン化するための試料支持体が知られている（例えば、特許文献１参照）。このような試料支持体は、互いに対向する第１表面及び第２表面に開口する複数の貫通孔が形成された基板を備えている。
【先行技術文献】
【特許文献】
【０００３】
【特許文献１】特許第６０９３４９２号公報
【発明の概要】
【発明が解決しようとする課題】
【０００４】
上述したような質量分析においては、イオン化された試料（試料イオン）が検出され、その検出結果に基づいて試料の質量分析が実施される。このような質量分析においては、信号強度（感度）の向上が望まれている。【０００５】
そこで、本開示は、試料イオンの信号強度を向上させることができる試料支持体を提供することを目的とする。
【課題を解決するための手段】
【０００６】
本開示の一側面に係る試料支持体は、試料のイオン化用の試料支持体であって、互いに対向する第１表面及び第２表面を連通するように形成された不規則な多孔質構造を有する基板と、少なくとも第１表面に設けられた導電層と、を備える。【０００７】
上記試料支持体では、基板が、第１表面及び第２表面を連通するように形成された不規則な多孔質構造を有している。これにより、例えば生体試料等の試料上に、第２表面が試料に対向するように試料支持体を配置した場合に、毛細管現象を利用して、基板の第２表面側から多孔質構造を介して第１表面側に向けて試料の成分を移動させることができる。さらに例えばレーザ光等のエネルギー線を基板の第１表面に対して照射した場合に、第１表面側に移動した試料の成分に導電層を介してエネルギーが伝達されることにより、試料の成分をイオン化することができる。しかも、上記試料支持体では、基板が多孔質構造を有することにより、試料の成分が基板の内部に形成された複数の経路（流路）を辿って第２表面側から第１表面側に移動することができる。その結果、第２表面側から第１表面側への試料の成分の移動を促進させることができる。従って、上記試料支持体によれば、試料イオンの信号強度を向上させることができる。【０００８】
基板は、ガラスビーズの焼結体によって形成されていてもよい。この場合、毛細管現象による試料の成分の移動を適切に実現することができる。また、この場合、毛細管現象による試料の成分の移動を実現することができる基板を安価に得ることが可能となる。【０００９】
基板は、多孔質ガラスによって形成されていてもよい。この場合、毛細管現象による試料の成分の移動を適切に実現することができる。【００１０】
基板は、繊維多孔質体によって形成されていてもよい。この場合、毛細管現象による試料の成分の移動を適切に実現することができる。【００１１】
本開示の他の側面に係る試料支持体は、試料のイオン化用の試料支持体であって、導電性を有し、互いに対向する第１表面及び第２表面を連通するように形成された不規則な多孔質構造を有する基板を備える。【００１２】
この試料支持体によれば、導電層を省略することができると共に、上述した導電層を備える試料支持体と同様の効果を得ることができる。【００１３】
基板は、多孔質金属によって形成されていてもよい。この場合、毛細管現象による試料の成分の移動を適切に実現することができる。また、この場合、基板に導電性を持たせることができ、導電層を省略することができる。
【発明の効果】
【００１４】
本開示によれば、試料イオンの信号強度を向上させることができる試料支持体を提供することができる。
【図面の簡単な説明】
【００１５】
【図１】図１は、一実施形態に係る試料支持体の平面図である。
【図２】図２は、図１に示されるII−II線に沿っての試料支持体の断面図である。
【図３】図３は、一実施形態に係る質量分析方法の手順を示す図である。
【図４】図４は、一実施形態に係る質量分析方法の手順を示す図である。
【図５】図５は、一実施形態に係る質量分析方法の手順を示す図である。
【図６】図６は、実施例及び比較例に係る質量分析方法の結果を示す図である。
【発明を実施するための形態】
【００１６】
以下、図面を参照しながら、本開示の好適な実施形態について詳細に説明する。なお、各図において同一部分又は相当部分には同一符号を付し、重複する説明は省略する。また、図面に示される各部材（又は部位）の寸法又は寸法の比率は、説明をわかり易くするために、実際の寸法又は寸法の比率とは異なることがある。
【００１７】
［試料支持体の構成］
図１及び図２に示されるように、試料支持体１は、基板２と、フレーム３と、導電層４と、を備えている。試料支持体１は、試料のイオン化用の試料支持体である。試料支持体１は、例えば質量分析を行う際に、測定対象の試料の成分をイオン化するために用いられる。基板２は、互いに対向する第１表面２ａ及び第２表面２ｂを有している。基板２は、例えば、絶縁性材料によって長方形板状に形成されている。基板２の厚さ方向から見た場合における基板２の一辺の長さは、例えば数ｃｍ程度であり、基板２の厚さは、例えば１μｍ〜１０００μｍ程度である。
【００１８】
基板２は、第１表面２ａ及び第２表面２ｂを連通するように形成された不規則な多孔質構造を有している。不規則な多孔質構造とは、例えば、空隙（細孔）が不規則な方向に延びると共に３次元上において不規則に分布している構造である。不規則な多孔質構造は、例えばスポンジ状の構造である。例えば、第１表面２ａから第２表面２ｂにかけて基板２の厚み方向に沿って延びる複数の細孔が主要な細孔として設けられた構造のように、主に一方向に延びる細孔によって構成された規則的な構造は、不規則な多孔質構造には含まれない。このため、例えば、第２表面２ｂに接触した液体は、第２表面２ｂ側から基板２の内部に形成された複数の経路（流路）を辿って、第１表面２ａ側に向かって移動することが可能となっている。例えば基板２が後述するガラスビーズ焼結体によって形成されている場合、上記多孔質構造の空孔率は、例えば４０％〜５０％である。
【００１９】
基板２は、例えばガラスビーズ焼結体によって形成されている。ガラスビーズ焼結体は、例えば、多数のガラスビーズが焼結により一体化された構造を有する。ガラスビーズは、球状を呈している。基板２に含まれる各ガラスビーズの形状及び大きさは、均一であってもよいし、不揃いであってもよい。複数のガラスビーズと各ガラスビーズ間に形成された複数の空隙とによって、上述した多孔質構造が形成されている。各ガラスビーズ間の空隙は、互いに不規則に連通している。ガラスビーズの平均粒径（直径）は、例えば５０μｍ程度である。上記平均粒径は、例えば画像解析法又はレーザ回折散乱法によって測定される場合の値である。
【００２０】
フレーム３は、基板２の第１表面２ａに設けられている。具体的には、フレーム３は、接着層５によって基板２の第１表面２ａに固定されている。接着層５の材料としては、放出ガスの少ない接着材料（例えば、低融点ガラス、真空用接着剤等）が用いられることが好ましい。フレーム３は、基板２の厚さ方向から見た場合に基板２と略同一の外形を有している。フレーム３には、開口３ａが形成されている。基板２のうち開口３ａに対応する部分は、後述する試料の成分を第１表面２ａ側に移動させるための実効領域Ｒとして機能する。
【００２１】
フレーム３は、例えば、絶縁性材料によって長方形板状に形成されている。基板２の厚さ方向から見た場合におけるフレーム３の一辺の長さは、例えば数ｃｍ程度であり、フレーム３の厚さは、例えば１ｍｍ以下である。基板２の厚さ方向から見た場合における開口３ａの形状は、例えば円形であり、その場合における開口３ａの直径は、例えば数ｍｍ〜数十ｍｍ程度である。このようなフレーム３によって、試料支持体１のハンドリングが容易化すると共に、温度変化等に起因する基板２の変形が抑制される。なお、基板２の厚さが十分（例えば５００μｍ以上）である場合には、フレーム３は省略されてもよい。
【００２２】
導電層４は、基板２の第１表面２ａに設けられている。具体的には、導電層４は、基板２の第１表面２ａのうちフレーム３の開口３ａに対応する領域（すなわち、実効領域Ｒに対応する領域）、開口３ａの内面、及びフレーム３における基板２とは反対側の表面３ｂに一続きに（一体的に）形成されている。導電層４は、実効領域Ｒにおいて、基板２の第１表面２ａにおける空隙（細孔）の周縁部に設けられている。すなわち、導電層４は、実効領域Ｒにおいて、基板２の第１表面２ａのうち空隙が形成されていない部分（本実施形態では、第１表面２ａ側に露出しているガラスビーズの表面）を覆っている。言い換えれば、導電層４は、基板２の内部に形成された複数の経路の第１表面２ａ側の開口（出入口）を塞がないようにして、第１表面２ａ上に設けられている。つまり、実効領域Ｒにおいては、基板２の内部に形成された複数の経路の第１表面２ａ側の開口が、開口３ａに露出している。
【００２３】
導電層４は、導電性材料によって形成されている。ただし、導電層４の材料としては、以下に述べる理由により、試料との親和性（反応性）が低く且つ導電性が高い金属が用いられることが好ましい。
【００２４】
例えば、タンパク質等の試料と親和性が高いＣｕ（銅）等の金属によって導電層４が形成されていると、後述する試料のイオン化の過程において、試料分子にＣｕ原子が付着した状態で試料がイオン化され、Ｃｕ原子が付着した分だけ、後述する質量分析法において検出結果がずれるおそれがある。したがって、導電層４の材料としては、試料との親和性が低い金属が用いられることが好ましい。
【００２５】
一方、導電性の高い金属ほど一定の電圧を容易に且つ安定して印加し易くなる。そのため、導電性が高い金属によって導電層４が形成されていると、実効領域Ｒにおいて基板２の第１表面２ａに均一に電圧を印加することが可能となる。また、導電性の高い金属ほど熱伝導性も高い傾向にある。そのため、導電性が高い金属によって導電層４が形成されていると、基板２に照射されたレーザ光のエネルギーを、導電層４を介して試料に効率的に伝えることが可能となる。したがって、導電層４の材料としては、導電性の高い金属が用いられることが好ましい。
【００２６】
以上の観点から、導電層４の材料としては、例えば、Ａｕ（金）、Ｐｔ（白金）等が用いられることが好ましい。導電層４は、例えば、メッキ法、原子層堆積法（ＡＬＤ：Atomic  Layer  Deposition）、蒸着法、スパッタ法等によって、厚さ１ｎｍ〜３５０ｎｍ程度に形成される。なお、導電層４の材料としては、例えば、Ｃｒ（クロム）、Ｎｉ（ニッケル）、Ｔｉ（チタン）等が用いられてもよい。
【００２７】
［試料のイオン化方法］
次に、図３〜図５を参照して、試料支持体１を用いた試料のイオン化方法について説明する。ここでは一例として、レーザ光（エネルギー線）を用いたレーザ脱離イオン化法（質量分析装置１０による質量分析方法の一部）について説明する。図３〜図５においては、試料支持体１における細孔、導電層４及び接着層５の図示が省略されている。また、図１及び図２に示される試料支持体１と図３〜図５に示される試料支持体１とでは、図示の便宜上、寸法の比率等が異なっている。
【００２８】
まず、上述した試料支持体１が用意される。試料支持体１は、イオン化法及び質量分析方法を実施する者によって製造されることで用意されてもよいし、試料支持体１の製造者又は販売者等から取得されることで用意されてもよい。
【００２９】
続いて、図３の（ａ）に示されるように、質量分析対象となる試料Ｓが、スライドグラス（載置部）６の載置面６ａに載置される。スライドグラス６は、ＩＴＯ（Indium  Tin  Oxide)膜等の透明導電膜が形成されたガラス基板であり、透明導電膜の表面が載置面６ａとなっている。なお、スライドグラス６に限定されず、導電性を確保し得る部材（例えば、ステンレス等の金属材料等からなる基板等）を載置部として用いることができる。
【００３０】
続いて、図３の（ｂ）に示されるように、試料Ｓに第２表面２ｂが接触するように、試料Ｓ上に試料支持体１が配置される。このとき、試料Ｓは、基板２の厚さ方向から見た場合に実効領域Ｒ内に配置される。ここで、試料Ｓは、例えば生体試料（含水試料）である。試料Ｓの成分Ｓ１（図４参照）の移動をスムーズにするために、成分Ｓ１の粘性を低くするための溶液（例えばアセトニトリル混合液、アセトン等）が、試料Ｓに添加されてもよい。
【００３１】
続いて、図４の（ａ）に示されるように、試料Ｓに基板２の第２表面２ｂが接触させられた状態で、スライドグラス６に対して試料支持体１が固定される。試料支持体１は、導電性を有するテープ７（例えば、カーボンテープ等）によって、スライドグラス６に対して固定される。具体的には、テープ７は、フレーム３の表面３ｂに形成された導電層４の表面に接触し、且つ、スライドグラス６の載置面６ａに接触することにより、試料支持体１をスライドグラス６に対して固定する。テープ７は、試料支持体１の一部であってもよいし、試料支持体１とは別に用意されてもよい。テープ７が試料支持体１の一部である場合（すなわち、試料支持体１がテープ７を備える場合）には、例えば、テープ７は、予め、フレーム３の周縁部において表面３ｂ側に固定されていてもよい。より具体的には、テープ７は、フレーム３の周縁部において導電層４上に固定されていてもよい。
【００３２】
図４の（ｂ）に示されるように、試料Ｓの成分Ｓ１は、毛細管現象によって、試料支持体１の第２表面２ｂ側から基板２の内部に形成された複数の経路を介して第１表面２ａ側に向かって移動する。基板２の第１表面２ａ側に移動した成分Ｓ１は、表面張力によって第１表面２ａ側に留まる。
【００３３】
続いて、図５に示されるように、スライドグラス６と試料支持体１との間に試料Ｓが配置された状態で、スライドグラス６、試料支持体１及び試料Ｓが、質量分析装置１０の支持部１２（例えば、ステージ）上に載置される。続いて、質量分析装置１０の電圧印加部１４によって、スライドグラス６の載置面６ａ及びテープ７を介して試料支持体１の導電層４（図２参照）に電圧が印加される。
【００３４】
続いて、質量分析装置１０のレーザ光照射部１３によって、フレーム３の開口３ａを介して、基板２の第１表面２ａに対してレーザ光Ｌが照射される。つまり、レーザ光Ｌは、基板２の第１表面２ａのうちフレーム３の開口３ａに対応する領域（すなわち、実効領域Ｒに対応する領域）に対して照射される。ここでは、レーザ光照射部１３は、実効領域Ｒに対応する領域に対してレーザ光Ｌを走査する。なお、実効領域Ｒに対応する領域に対するレーザ光Ｌの走査は、支持部１２及びレーザ光照射部１３の少なくとも１つが動作させられることにより、実施可能である。
【００３５】
このように、導電層４に電圧が印加されつつ基板２の第１表面２ａに対してレーザ光Ｌが照射されることにより、基板２の第１表面２ａ側に移動した成分Ｓ１がイオン化され、試料イオンＳ２（イオン化された成分Ｓ１）が放出される。具体的には、レーザ光Ｌのエネルギーを吸収した導電層４（図２参照）から、基板２の第１表面２ａ側に移動した成分Ｓ１にエネルギーが伝達され、エネルギーを獲得した成分Ｓ１が気化すると共に電荷を獲得して、試料イオンＳ２となる。以上の各工程が、試料支持体１を用いた試料Ｓのイオン化方法（ここでは一例として、質量分析方法の一部としてのレーザ脱離イオン化法）に相当する。
【００３６】
放出された試料イオンＳ２は、試料支持体１とイオン検出部１５との間に設けられたグランド電極（図示省略）に向かって加速しながら移動する。つまり、試料イオンＳ２は、電圧が印加された導電層４とグランド電極との間に生じた電位差によって、グランド電極に向かって加速しながら移動する。そして、質量分析装置１０のイオン検出部１５によって試料イオンＳ２が検出される。ここでは、イオン検出部１５は、レーザ光Ｌの走査位置に対応するように、試料イオンＳ２を検出する。なお、ここでの質量分析装置１０は、飛行時間型質量分析法（ＴＯＦ−ＭＳ：Time-of-Flight  Mass  Spectrometry）を利用する質量分析装置である。以上の各工程が、試料支持体１を用いた質量分析方法に相当する。
【００３７】
以上説明したように、試料支持体１では、基板２が、第１表面２ａ及び第２表面２ｂを連通するように形成された不規則な多孔質構造を有している。これにより、例えば生体試料等の試料Ｓ上に、第２表面２ｂが試料Ｓに対向するように試料支持体１を配置した場合に、毛細管現象を利用して、基板２の第２表面２ｂ側から多孔質構造を介して第１表面２ａ側に向けて試料Ｓの成分Ｓ１を移動させることができる。さらに例えばレーザ光Ｌを基板２の第１表面２ａに対して照射した場合に、第１表面２ａ側に移動した試料Ｓの成分Ｓ１に導電層４を介してエネルギーが伝達されることにより、試料Ｓの成分Ｓ１をイオン化することができる。しかも、試料支持体１では、基板２が多孔質構造を有することにより、試料Ｓの成分Ｓ１が基板２の内部に形成された複数の経路を辿って第２表面２ｂ側から第１表面２ａ側に移動することができる。その結果、第２表面２ｂ側から第１表面２ａ側への試料Ｓの成分Ｓ１の移動を促進させることができる。従って、試料支持体１によれば、試料イオンＳ２の信号強度を向上させることができる。
【００３８】
基板２は、ガラスビーズの焼結体によって形成されている。この構成によれば、毛細管現象による試料Ｓの成分Ｓ１の移動を適切に実現することができる。また、毛細管現象による試料Ｓの成分Ｓ１の移動を実現することができる基板２を安価に得ることが可能となる。さらに、質量分析において、低質量領域のバックグラウンドノイズを改善することができる。
【００３９】
図６は、実施例及び比較例の質量分析方法による結果を示す図である。実施例及び比較例では、ｍ／ｚ＝１０４６．５程度のＡｎｇｉｏｔｅｎｓｉｎII（アンジオテンシンII）にＤＨＣ（クエン酸水素二アンモニアム）０．２ＭとＣｉｔＡｃ（クエン酸）０．２Ｍを等量で混合した溶液（混合試料）を用いてＡｎｇｉｏｔｅｎｓｉｎIIのマススペクトルを測定した。
【００４０】
具体的には、実施例では、まず上記混合試料をスライドグラス６の載置面６ａに滴下し、上記混合試料に第２表面２ｂが接触するように、上記混合試料上に試料支持体１を配置した（図３参照）。なお、実施例で用いた試料支持体１の導電層４（図２参照）の厚さは、８００Å程度である。続いて、上記混合試料に基板２の第２表面２ｂが接触させられた状態で、スライドグラス６に対して試料支持体１を固定した。これにより、上記混合試料の成分を、毛細管現象によって、試料支持体１の第２表面２ｂ側から基板２の内部に形成された複数の経路を介して第１表面２ａ側に向かって移動させた。
【００４１】
続いて、スライドグラス６に試料支持体１及び上記混合試料が配置された状態で、スライドグラス６、試料支持体１及び上記混合試料を、質量分析装置１０の支持部１２（例えば、ステージ）上に載置した。続いて、試料支持体１の導電層４に電圧を印加すると共に、基板２の第１表面２ａに対してレーザ光Ｌを照射することによって上記混合試料の成分をイオン化した後、試料イオンを検出した（図５参照）。
【００４２】
比較例では、試料支持体１に代えて、主に一方向（基板の厚み方向）に沿って延びる複数の細孔によって構成された規則的な構造を有する基板を備える試料支持体（例えば、特許文献１に記載された試料支持体２を参照）を用いて、上述した実施例と同じ手順によって測定を行った。
【００４３】
図６の（ａ）は、実施例の測定結果を示しており、図６の（ｂ）は、比較例の測定結果を示している。図６の（ａ）及び（ｂ）に示されるように、質量分析において、試料支持体１を用いた場合には、比較例の試料支持体を用いた場合と比較して試料（ＡｎｇｉｏｔｅｎｓｉｎII）に対応する信号強度が小さくなるものの、当該試料に対応する信号を適切に検出することができた。さらに、試料支持体１を用いた場合には、比較例の試料支持体を用いた場合と比較して、低質量領域のバックグラウンドノイズが飛躍的に低減されるという効果が確認された。
【００４４】
［変形例］
以上、本開示の実施形態について説明したが、本開示は上記実施形態に限定されるものではなく、本開示は、その要旨を逸脱しない範囲で様々な変形が可能である。
【００４５】
基板２は、多孔質ガラスによって形成されていてもよい。多孔質ガラスは、複数の細孔が不規則に形成及び連結されたスポンジ状のガラス板である。細孔のサイズ（平均孔径）は、例えば１．４５ｎｍ程度である。多孔質ガラスの空孔率は、例えば５６％程度である。基板２は、多孔質セラミックによって形成されていてもよい。多孔質セラミックの構造は、多孔質ガラスと同様である。
【００４６】
基板２は、繊維多孔質体によって形成されていてもよい。繊維多孔質体は、複数の線状のセルロースナノファイバが重なり合った構造（集合体）を有する。繊維多孔質体は、例えば、複数のカーボンナノファイバ、複数の繊維状多孔質シリカ、又は複数のガラス繊維のそれぞれ（あるいは任意の組み合わせ）が重なり合った構造を有していてもよい。
【００４７】
基板２が上記いずれの場合であっても、毛細管現象による試料Ｓの成分Ｓ１の移動を適切に実現することができる。
【００４８】
基板２は、導電性を有していてもよく、質量分析方法において基板２に電圧が印加されてもよい。具体的には、基板２は、多孔質金属によって形成されていてもよい。多孔質金属は、複数の細孔が不規則に形成及び連結されたスポンジ状の金属多孔体（金属多孔質体、発泡金属、ポーラスメタル、ポーラス金属、多孔金属等とも呼ばれる）である。多孔質金属は、例えば、金属微粉末及びスペーサ粒子の混合体が焼結された後、スペーサ粒子が除去されることによって製造される。多孔質金属の空孔率は、例えば８４％〜９３％である。多孔質金属の材質は、例えば、Ｔｉ（チタン）、Ａｌ（アルミニウム）等である。また、多孔質金属は、多数の金属製の粉体を焼結により一体化することによっても製造され得る。このような紛体としては、例えば、ブロンズ球体粉、ＳＵＳ（ステンレス鋼）球体粉、ＳＵＳ異形粉等が挙げられる。
【００４９】
基板２が導電性を有する場合には、試料支持体１において導電層４を省略することができると共に、上述した導電層４を備える試料支持体１を用いる場合と同様の効果を得ることができる。また、基板２が多孔質金属である場合においても、毛細管現象による試料Ｓの成分Ｓ１の移動を適切に実現することができる。なお、基板２が導電性を有している場合においても、基板２の第１表面２ａに導電層４が設けられていてもよい。
【００５０】
上述した不規則な多孔質構造は、少なくとも基板２における実効領域Ｒに対応する領域に設けられていればよく、必ずしも基板２の全体に亘って設けられていなくてもよい。
【００５１】
また、試料支持体１の用途は、レーザ光Ｌの照射による試料Ｓのイオン化に限定されない。試料支持体１は、レーザ光Ｌ以外のエネルギー線（例えば、イオンビーム、電子線等）の照射による試料Ｓのイオン化に用いられてもよい。
【００５２】
導電層４は、基板２の第２表面２ｂ及び基板２の内部に形成された細孔の内面に設けられていなくてもよいし、基板２の第２表面２ｂ及び上記細孔の内面に設けられていてもよい。つまり、導電層４は、少なくとも基板２の第１表面２ａに設けられていればよい。
【００５３】
試料支持体１は、テープ７以外の手段（例えば、接着剤、固定具等を用いる手段）で、スライドグラス６に対して固定されてもよい。また、質量分析方法においては、スライドグラス６の載置面６ａ及びテープ７を介さずに導電層４に電圧が印加されてもよい。その場合、スライドグラス６及びテープ７は、導電性を有していなくてもよい。
【００５４】
上述した試料のイオン化方法は、試料Ｓを構成する分子の質量分析だけでなく、イオンモビリティ測定等の他の測定・実験にも利用することができる。
【００５５】
基板２の厚さ方向から見た場合におけるフレーム３の開口３ａは、様々な形状を呈していてもよい。フレーム３の開口３ａの形状は、例えば矩形であってもよい。
【００５６】
試料Ｓは、乾燥試料であってもよい。この場合、試料Ｓの成分Ｓ１を毛細管現象によって基板２の第２表面２ｂ側から第１表面２ａ側に移動させるために、試料Ｓには例えば溶媒（例えばアセトニトリル混合液、アセトン等）が添加されてもよい。
【００５７】
質量分析方法において、試料Ｓは、直接質量分析装置１０の支持部１２に載置されてもよい。この際、質量分析装置１０の支持部１２がスライドグラス６に相当する。
【符号の説明】
【００５８】
１…試料支持体、２…基板、２ａ…第１表面、２ｂ…第２表面、４…導電層、Ｓ…試料。
【図１】
2019155741.tif 000003
【図２】
2019155741.tif 000004
【図３】
2019155741.tif 000005
【図４】
2019155741.tif 000006
【図５】
2019155741.tif 000007
【図６】
2019155741.tif 000008
【国際調査報告】
2019155741.tif 000009
2019155741.tif 000010